(57)【要約】      （修正有）【課題】手袋などを装着した状態や悪天候の状況下であっても安全に且つ容易に開刃できる折り畳み式ナイフを提供する。【解決手段】ブレード２と、ブレードを回動可能に支持するハンドル３と、ハンドル内に形成され、ブレードがハンドルに対して屈曲された状態において内部にブレードを収納する収納部４と、ハンドルに対してスライド移動可能に取り付けられたスライダー部５と、ブレードの後端部に形成され、複数凹凸が連続してなるギア部と、ギア部に巻き回されるとともに、スライダー部とブレードとを連結するチェーン部６とを備える。【選択図】図２
0003198949.tif 000002
【実用新案登録請求の範囲】
【請求項１】
刃体部と、
前記刃体部を回動可能に支持するハンドル部と、
前記ハンドル部内に形成され、前記刃体部が回動されて前記ハンドル部に対して屈曲された状態において内部に前記刃体部を収納する収納部と、
前記ハンドル部に対してスライド移動可能に取り付けられたスライダー部と、
前記刃体部の後端部に形成され、複数凹凸が連続してなるギア部と、
前記ギア部に巻き回されるとともに、前記スライダー部と前記刃体部とを連結するチェーン部と、
を備えることを特徴とする折り畳み式ナイフ。
【請求項２】
前記刃体部の開放状態を固定する固定部をさらに備え、
前記固定部は、
前記刃体部の後端において、前記刃体部を回転可能に支承する支承部を中心として、前記刃体部とともに回転する回転板と、
前記回転板の一部に設けられた凹部と、
一端が前記ハンドル部に固定され、他端がその弾性力によって前記回転板に押圧されるストッパー部材と、
を備え、
前記スライダー部は、前記刃体部の回動部分から離れる方向へ相対移動して前記チェーン部を引っ張ることによって前記ギア部を回動させ、
前記固定部は、前記スライダー部の前記相対移動によって前記ギア部が回動されて前記刃体部が開放された状態において、前記弾性力によって前記ストッパー部材が前記凹部に嵌合され、前記刃体部が開放された状態を固定する
ことを特徴とする請求項１に記載の折り畳み式ナイフ。
【請求項３】
前記ストッパー部材の弾性力に逆らって前記ストッパー部材を変形させて、前記ストッパー部材を前記凹部から離脱させ、前記刃体部の固定状態を解除する固定解除部をさらに備えることを特徴とする請求項２に記載の折り畳み式ナイフ。
【請求項４】
前記スライダー部の前記相対移動によって付勢される弾性部材と、
前記刃体部が開放されて固定された状態において、前記弾性部材の弾性力によって前記スライダー部を、前記刃体部の回動部分に接近する方向へ相対移動させるとともに、前記スライダー部と前記チェーン部との連結状態を解除する連結解除機構と、
前記刃体部の開放状態から、回動されて前記収納部に収納された状態へ遷移した際に、前記スライダー部と前記チェーン部との連結状態を回復させる連結回復機構と
をさらに備えることを特徴とする請求項１乃至３のいずれかに記載の折り畳み式ナイフ。
【請求項５】
前記刃体部の回動部分に接近する方向へ相対移動された前記スライダー部を固定することで、前記刃体部が前記収納部内に収納された状態を維持する安全機構をさらに備えることを特徴とする請求項１乃至４のいずれかに記載の折り畳み式ナイフ。
【考案の詳細な説明】
【技術分野】
【０００１】
本考案は、刃体部が回動されて、ハンドル部に対して屈曲された状態において収納部に刃体部を収納する形式の折り畳み式ナイフに関する。
【背景技術】
【０００２】
従来、刃体部を収納する構造を有する形式のナイフとして、刃体部を回動させ、ハンドル部に対して屈曲された状態において、ハンドル部内に形成された収納部に刃体部を収納する折り畳み式のものがある（例えば、特許文献１参照。）。ところで、刃体部を収納する機能を有するナイフとしては、ハンドル部にバネなどの弾性体を仕込んで、スイッチを押すことにより自動的に開刃する所謂「飛び出し式」のタイプがある。
【先行技術文献】
【特許文献】
【０００３】
【特許文献１】特開２０００−１７６１８３号公報
【考案の概要】
【考案が解決しようとする課題】
【０００４】
しかしながら、銃砲刀剣類所持等取締法（銃刀法）では、４５度以上に自動的に開刃する装置を有するナイフの所持を禁止しており、刃体部を回動させる折り畳み式では、折り畳まれた刃体部を指でつまんで引き出す構造にするしかなく、手袋などを装着した状態や、悪天候の状況下では、薄い刃をつまんで引き出す動作が困難であることから、容易に開刃できないという欠点があった。また、指でつまんで開刃するという機能的な制約からデザインが一様になる傾向があり、このタイプを好むユーザー層が限定的になるという傾向がある。
【０００５】
そこで、本考案は、上記のような問題を解決するものであり、手袋などを装着した状態や悪天候の状況下であっても容易に開刃できるとともに、デザインの多様性によりユーザー層の拡大を図ることのできる折り畳み式ナイフを提供することを目的とする。
【課題を解決するための手段】
【０００６】
本考案に係る折り畳み式ナイフは、上記課題を解決するためになされたものであり、
刃体部と、
前記刃体部を回動可能に支持するハンドル部と、
前記ハンドル部内に形成され、前記刃体部が回動されて前記ハンドル部に対して屈曲された状態において内部に前記刃体部を収納する収納部と、
前記ハンドル部に対してスライド移動可能に取り付けられたスライダー部と、
前記刃体部の後端部に形成され、複数凹凸が連続してなるギア部と、
前記ギア部に巻き回されるとともに、前記スライダー部と前記刃体部とを連結するチェーン部と、
を備えることを特徴とする。
【０００７】
このような本考案では、ハンドル部にスライド移動可能に取り付けられたスライダー部をスライド移動させて、チェーン部を引き下げることによって、刃体部後端のギア部が回転され、容易に刃体部をハンドル部内の収納部から開刃させることができる。
【０００８】
上記考案では、前記刃体部の開放状態を固定する固定部をさらに設け、
前記固定部は、
前記刃体部の後端において、前記刃体部を回転可能に支承する支承部を中心として、前記刃体部とともに回転する回転板と、
前記回転板の一部に設けられた凹部と、
一端が前記ハンドル部に固定され、他端がその弾性力によって前記回転板に押圧されるストッパー部材と、
を備え、
前記スライダー部は、前記刃体部の回動部分から離れる方向へ相対移動して前記チェーン部を引っ張ることによって前記ギア部を回動させ、
前記固定部は、前記スライダー部の前記相対移動によって前記ギア部が回動されて前記刃体部が開放された状態において、前記弾性力によって前記ストッパー部材が前記凹部に嵌合され、前記刃体部が開放された状態を固定する
ことができる。
【０００９】
この場合には、スライダー部を刃体部の回動部分から離れる方向、すなわちハンドル部の後端側へ相対移動させることによって回動させ、回転板の凹部にストッパー部材を嵌合させることによって、自動的に開刃状態を保持させることができる。
【００１０】
上記考案では、前記ストッパー部材の弾性力に逆らって前記ストッパー部材を変形させて、前記ストッパー部材を前記凹部から離脱させ、前記刃体部の固定状態を解除する固定解除部をさらに設けることができる。
【００１１】
この場合には、ストッパー部材の弾性力に逆らってストッパー部材を変形させるボタン式、スライドロック式、その他の固定解除手段を設けることによって、簡単な操作で刃体部の固定状態を解除することができ、容易に刃体部を収納することができる。
【００１２】
上記考案では、前記スライダー部の前記相対移動によって付勢される弾性部材と、
前記刃体部が開放されて固定された状態において、前記弾性部材の弾性力によって前記スライダー部を、前記刃体部の回動部分に接近する方向へ相対移動させるとともに、前記スライダー部と前記チェーン部との連結状態を解除する連結解除機構と
をさらに設けることができる。
【００１３】
この場合には、スライダー部を相対移動させて刃体部を開動させた後、弾性部材の弾性力により自動的にスライダー部を元の位置に戻すことができるため、素早く次の動作へ移ることができ、さらにはハンドル部とスライダー部との一体性も確保できるためハンドル部を握った際のグリップ感を高めることができる。このとき、スライダー部とチェーン部との連結状態は一時的に解除されるので、スライダー部が元の位置に戻っても、刃体部の開刃状態を安定させることができる。
【００１４】
上記考案では、前記刃体部の開放状態から、回動されて前記収納部に収納された状態へ遷移した際に、前記スライダー部と前記チェーン部との連結状態を回復させる連結回復機構をさらに設けることができる。
【００１５】
この場合には、刃体部を開動させて収納させた際に、スライド部とチェーン部との連結状態を回復させることができるため、次回の開刃動作に備えることができ、開刃の度に繰り返しスライダー部を自動的に元の位置へ戻すことができる。
【００１６】
上記考案では、前記刃体部の回動部分に接近する方向へ相対移動された前記スライダー部を固定することで、前記刃体部が前記収納部内に収納された状態を維持する安全機構をさらに設けることができる。
【００１７】
この場合には、スライダー部を固定することで、使用者が意図しない開刃を防止することができ、安全性を高めることができる。
【考案の効果】
【００１８】
以上述べたように、この考案によれば、刃体部を折り畳んでハンドル部内の収納部に収納する折り畳み式ナイフにおいて、手袋などを装着した状態や悪天候の状況下であっても容易に開刃できるとともに、スライダーによって開刃するという従来にない動作・機能によってデザインの多様化によって、折り畳み式ナイフに興味を抱くユーザーを増やし、ユーザー層の拡大を図ることができる。
【図面の簡単な説明】
【００１９】
【図１】本考案の実施形態に係る折り畳み式ナイフの開刃した状態を示す斜視図である。
【図２】本考案の実施形態に係る折り畳み式ナイフの動作を示す斜視図である。
【図３】実施形態に係る折り畳み式ナイフの側面図である。
【図４】（ａ）は実施形態に係る折り畳み式ナイフの刃体部のみを示す上面図であり、（ｂ）は実施形態に係るフック５１と係合軸６２との係合状態を説明する斜視図であり、（ｃ）は変形例に係るフック５１と係合軸６４との係合状態を説明する斜視図である。
【図５】実施形態に係るオートバック機構の内部構造及び動作を上面から示す説明図である。
【図６】実施形態に係る折り畳み式ナイフの固定部及び固定解除部を模式的に示す説明図である。
【考案を実施するための形態】
【００２０】
以下に添付図面を参照して、本考案に係る折り畳み式ナイフの実施形態を詳細に説明する。
【００２１】
（全体構成）
図１は本考案の実施形態に係る折り畳み式ナイフ１の開刃した状態を示す斜視図であり、図２は折り畳み式ナイフ１の動作を示す斜視図であり、図３はその側面図である。また、図４（ａ）は、ブレード２のみを示す上面図である。
【００２２】
図１〜図３に示すように、本実施形態に係る折り畳み式ナイフ１は、ブレード２と、ブレード２を回動可能に支持するハンドル３と、ブレード２を収納する収納部４と、ブレード２を回動させるためのスライダー部５と、スライダー部５とブレード２とを連結するチェーン部６とから概略構成される。
【００２３】
ブレード２は、金属やセラミック等で形成された機能体と呼ばれる刃体部であり、図４（ａ）に示すように、先端のポイント部２ａから根元のリカッソ部２ｂにかけてエッジ２ｃが形成された片刃となっている。このブレード２は、例えばカーボンやクローム、モリブデン、タングステン等を含むステンレス鋼や炭素鋼、２種類の金属を重ね合わせて鍛造されたダマスカス鋼、セラミックなどの素材で形成することができる。また、このブレード２の形状としては、一般的なユーティリティー型、両刃のダガー型、多機能なサバイバル型など様々なブレードパターンを採用することができ、本実施形態では、エッジ２ｃの背部２ｄの先端部分にカーブ２ｅが形成されたクリップポイント型を採用している。
【００２４】
また、ブレード２の後端部には、複数凹凸が連続してなる歯車状のギア部２１が形成されており、このギア部２１の中心位置にピン状の支承部７が貫通されており、この支承部７を中心としてギア部２１が回転するようになっている。さらに、このブレード２の後端部には、ブレード２を回転可能に支承する支承部７を中心として、ブレード２とともに回転する円盤状の回転板７１が貼り付けられている。
【００２５】
前記ハンドル３は、図１〜図３に示すように、前端部分のボルスター部３ａと、後端部分のグリップ部３ｂとから概略構成され、ボルスター部３ａにはブレード２を回動させる支承部７が内蔵されており、グリップ部３ｂの背部にスライダー部５が配置され、グリップ部３ｂの腹部に溝状の収納部４が配置されている。また、ハンドル３は、表裏２枚の把持板３１ａ，３１ｂがタング３２を介して平行に固定されて形成されている。
【００２６】
把持板３１ａ，３１ｂは同形状の板部材であり、ハードウッドなどの天然木材や、動物の角、牙などの天然素材、又は金属やセラミック、天然木や樹脂を合成した積層合板、ナイロン系樹脂、スチロール系樹脂、ラバー系樹脂などの合成樹脂、紙、麻、布、木屑といったものに樹脂を注入し圧縮して製造したマイカルタ材などで形成することができる。
【００２７】
タング３２は、タング３２は、断面がコの字形をなし、腹部に溝状の収納部４となる空間が形成された金属製の部材であり、把持板３１ａ，３１ｂの間隔を保持して収納部４の空間を保持するスペーサー部材であるとともに、スライダー部５やチェーン部、支承部７などの駆動機構を支える基部としての役割を担う部材である。このタング３２としては、金属やセラミック、硬化樹脂などを用いることができる。このタング３２を挟むようにして把持板３１ａ，３１ｂが平行に貼り付けられている。
【００２８】
収納部４は、ハンドル３内に形成され、ブレード２が回動されて屈曲された状態において、内部にブレード２を収納する溝状の空間である。具体的に、この収納部４は、断面コの字形のタング３２によって把持板３１ａ，３１ｂの間隔が保持されることによって、ハンドル３の腹部に形成された溝状の空間であり、ブレード２全体が収納できる容積を有している。
【００２９】
スライダー部５は、ハンドル３の背部に嵌合されて、ハンドル３に対してスライド移動可能に取り付けられた断面がコの字形をなす矩形状の部材であり、腹部に溝部５ａが形成され、この溝部５ａがタング３２の背部に設けられたレール部３２ａに嵌合されることにより、スライダー部５の移動がハンドル３背部における前端から後端の範囲に規制されるようになっている。
【００３０】
また、このスライダー部５の溝部５ａの内面には、レール部３２ａ内に向けて突出され、チェーン部６の拡径部６２ａに引っ掛かるようにして係合されるツメ部５１ａを有するフック５１が取付けられている。このフック５１は、図４（ｂ）に示すように、板状のプレート５１ｂの側面から一対のツメ部５１ａ，５１ａが突出された略Ｌ字型の部材であり、スライダー部５の側面からツメ部５１ａ，５１ａをレール部３２ａ内に向けて差し込むとともに、スライダー部５の外表面側にプレート５１ｂをネジ止め等で固定することにより、ツメ部５１ａとスライダー部５とが一体化されるようになっている。
【００３１】
この一対のツメ部５１ａ，５１ａは、係合軸６２を側方から挟み込めるように、係合軸６２の軸径よりも広めの間隔をもって、且つ、連結部６３及び拡径部６２ａに引っ掛かるように、これら連結部６３及び拡径部６２ａの直径よりも狭い間隔をもって、配置されている。また、この一対のツメ部５１ａ，５１ａは、スプリング６１を圧縮するように、スプリング６１の螺旋径よりも狭い幅を有しており、スプリング６１の先端は、ツメ部５１ａ，５１ａよりも前方に行かないようになっており、ツメ部５１ａ，５１ａが押し下げられることにより、スプリング６１の先端も押し下げられ、スプリング６１が圧縮されるようになっている。そして、このツメ部５１ａ，５１ａと拡径部６２ａが係合され、スライダー部５をブレード２の回動部分から離れる方向へ相対移動させることにより、チェーン部６が引っ張られてブレード２後端のギア部２１が回動されるとともに、スプリング６１が押し下げられて圧縮されることとなる。
【００３２】
チェーン部６は、ギア部２１に巻き回されるとともに、スライダー部５とブレード２とを連結する鎖状の部材であり、金属や強化プラスチックなど伸縮しない程度に硬度の高い部材を多数連結して構成され、一端がブレード２に連結され、ギア部２１に巻き回されつつ、他端がスライダー部５に接離可能に係合される係合軸６２に連結されている。
【００３３】
係合軸６２は、螺旋状のスプリング６１内に挿通可能な太さ、且つツメ部５１ａ，５１ａの間隙に挿通可能な太さのロッド部材であり、前端部分は連結部６３を介してチェーン部６に連結され、後端部分はツメ部５１ａが引っ掛かる程度の直径を有する拡径部６２ａが連結されている。ツメ部５１ａ，５１ａは、係合軸６２を側方から挟み込めるように、係合軸６２の軸径よりも広めの間隔をもって、且つ、連結部６３及び拡径部６２ａに引っ掛かるように、これら連結部６３及び拡径部６２ａの直径よりも狭い間隔をもって、配置されている。したがって、ツメ部５１ａ，５１ａは、連結部６３及び拡径部６２ａの間において、係合軸６２の長手方向に沿って移動することとなる。
【００３４】
なお、スライダー部５の側部には、ブレード２が収納された状態において、スライダー部５を固定する安全装置９が備えられている。この安全装置９は、ブレード２の回動部分に接近する方向へ相対移動されたスライダー部５を、ハンドル３に固定する機構であり、ロック状態でブレード２が収納部４内に収納された状態を維持し、ロックを解除することによりスライダー部５の相対移動が可能となる。
【００３５】
（スライダー部５のオートバック機構）
そして、スライダー部５には、スライダー部５をスライドさせて開刃させた後、開刃した状態を維持しつつ、スライダー部５を元の位置に自動的に戻すオートバック機構が備えられている。図５は、本実施形態に係るオートバック機構の構成及び動作を示す説明図である。
【００３６】
このオートバック機構は、ブレード２又はスライダー部５に対する操作に応じて、スライダー部５とチェーン部６との連結状態を、一時的に解除させ、及びその解除を回復させる連結解除機構及び連結回復機構の役割を果たす。詳述すると、オートバック機構は、図５（ａ）〜（ｃ）に示すように、スライダー部５をハンドル３の後端側へスライド移動させて、ブレード２の収納状態から開刃状態に遷移させる際には、スライダー部５とチェーン部６とが連結されており、その開刃させた状態でスライダー部５を放すと、図５（ｄ）に示すように、スプリング６１の弾性力によってスライダー部５がブレード２に接近する方向へ相対移動することとなり、そのとき連結解除機構により、スライダー部５とチェーン部６との連結状態を一時的に解除する。そして、ブレード２の開放状態から、ブレード２を回動して収納部４内に収納する際には、連結回復機構により、スライダー部５とチェーン部６との連結状態を回復させる。
【００３７】
具体的にこのオートバック機構に関わる構成要素としては、スライダー部５の長手方向に沿って延設されたレール部３２ａ内に装填されたスプリング６１と、チェーン部６の後端に連結部６３を介して接続される係合軸６２と、スライダー部５の溝部５ａの内面にレール部３２ａ内に向けて突出されたツメ部５１ａを有するフック５１とを備えている。
【００３８】
スプリング６１は、スライダー部５の相対移動によって付勢される弾性部材であり、本実施形態では、螺旋状のつる巻きバネで構成されている。このスプリング６１は、その螺旋内に係合軸６２が挿通可能な径を有するとともに、ツメ部５１ａに対しては当接されるような径となっている。そして、スプリング６１は、その後端がレール部３２ａの後端面に当接され、スライダー部５がブレード２から離れる方向へスライドされることにより、ツメ部５１ａによって押し下げられて圧縮され、その反発力によって、ブレード２を開放させた状態でスライダー部５を放した際に、ツメ部５１ａを押し返して、スライダー部５がブレード２に近づく方向へ戻されるようにスライドされる。
【００３９】
そして、このスライダー部５がスプリング６１の反発力によって戻されるとき、図５（ｄ）に示すように、連結解除機構により、スライダー部５とチェーン部６との連結状態が一時的に解除され、チェーン部６はギア部２１から引き出されたままの状態で、スライダー部５のみが元の位置に戻る。
【００４０】
詳述すると、スライダー部５を後方へ引き下げると、スライダー部５のツメ部５１ａが引っ掛けられた拡径部６２ａが後方へ引っ張られて、拡径部６２ａに連結された係合軸６２及び連結部６３を介してチェーン部６が引き出される。これによって、ギア部２１が回転されてブレード２を開刃される。このとき、ギア部２１から引き出されたチェーン部６がスライダー部５とともにレール部３２ａ内に引き込まれる形となる一方、スプリング６１は、レール部３２ａ内においてツメ部５１ａによって押し下げられて圧縮される形となる。そして、この状態において、スライダー部５を放すと、スプリング６１の反発力によって、ツメ部５１ａが押し返されて、スライダー部５がブレード２に近づく方向へ戻されるようにスライドされる。このとき、拡径部６２ａに引っ掛かっていたツメ部５１ａが、拡径部６２ａから離脱され、拡径部６２ａを置き去りにするようにして、スライダー部５のみがブレード２に近づく方向へ移動される。
【００４１】
また、このオートバック機構の連結回復機構としては、ブレード２を収納部４に収納する際に、ブレード２の回転とともにギア部２１が回転され、チェーン部６を引っ張りながらギア部２１に巻き込むと、チェーン部６に連結された係合軸６２後端の拡径部６２ａがスライダー部５の拡径部６２ａに引っ掛かるようにして嵌合され、再度スライダー部５とチェーン部６が連結されることとなる。
【００４２】
（ブレード２の固定機構及び固定解除機構）
前記ハンドル３のボルスター部３ａには、ブレード２の開放状態を固定する固定機構及びその固定を解除する固定解除機構が設けられている。
【００４３】
かかる固定機構としては、ブレード２の後端において、ブレード２を回転可能に支承する支承部７を中心として、ブレード２とともに回転する回転板７１と、回転板７１の一部に設けられた凹部７１ａと、回転板７１の回転を規制するストッパー８１とを有している。
【００４４】
回転板７１は、本実施形態ではブレード２の後端に一体的に形成された円板であり、その一部が欠けて凹部７１ａが形成されている。この凹部７１ａは、回転板７１の円周の一部である円弧とその弦で囲まれた弓形をなし、この弓形の弦の部分がストッパー８１の先端と合致する形状となっている。
【００４５】
ストッパー８１は、タング３２の表面と平行となるように貼り付けられた平面視において矩形をなす板バネであって、その先端部７２ａが、板バネの弾性力（復元力）で回転板７１の上面に押しつけられるようになっている。ストッパー８１は、後端部７２ｂがタング３２に固定され、先端部７２ａがその弾性力によって回転板７１の上面に押圧される。このストッパー８１により固定部は、スライダー部５の相対移動によってギア部２１が回動されてブレード２が開放された状態において、弾性力によってストッパー８１が凹部７１ａに嵌合され、ブレード２が開放された状態を固定する。
【００４６】
詳述すると、ブレード２を収納した状態にあっては、図６（ａ）に示すように、回転板７１が回転され、ストッパー８１の先端部７２ａが、回転板７１の厚みのある部分によって押し上げられて湾曲するように変形され、凹部７１ａから離脱されるとともに、そのストッパー８１の変形に対する弾性力（復元力）によって付勢されて、先端部７２ａが回転板７１の上面に押圧された状態となっている。そして、スライダー部５の相対移動によってギア部２１が回動されてブレード２が開放された状態にあっては、図６（ｂ）に示すように、弾性力によってストッパー８１が凹部７１ａに嵌合され、ブレード２が開放された状態を固定する。
【００４７】
一方、固定解除機構は、図６に示すように、ストッパー８１の弾性力に逆らってストッパー８１を変形させて、ストッパー８１を凹部７１ａから離脱させ、ブレード２の固定状態を解除する機構である。具体的に固定解除部は、把持板３１ａの表面に形成された円形のボタン収納凹部８３と、ボタン収納凹部８３の底面から把持板３１ａ及びタング３２を貫通させてストッパー８１に到達する押圧ロッド８４と、押圧ロッド８４の把持板３１ａ側端部に連結されたロック解除ボタン８と、ボタン収納凹部８３の底面から反力を得てその弾性力でロック解除ボタン８を外方へ押し上げる渦巻きバネ８２とを有している。
【００４８】
ブレード２が開放された状態においては、図６（ｂ）に示すように、ストッパー８１の弾性力によってその先端部７２ａが凹部７１ａに嵌合され、ブレード２の開放状態が固定されており、渦巻きバネ８２及びストッパー８１の弾性力によって、ロック解除ボタン８が外方へ押し上げられている。そして、ブレード２の固定状態を解除するには、図６（ｃ）に示すように、ロック解除ボタン８を押下し、押圧ロッド８４を、ストッパー８１に向けて突出させることにより、ストッパー８１の弾性力に逆らって、ストッパー８１を押し上げて外方へ湾曲させるように変形させる。これより、ストッパー８１の先端部７２ａが凹部７１ａから離脱されてブレード２の固定状態が解除され、ブレード２が自由に回転できるようになり、収納が可能となる。
【００４９】
（変形例）
なお、本実施形態では、係合軸６２をロッド状の部材とし、スプリング６１内に挿通するようにしたが、本考案はこれに限定されるものではなく、図４（ｃ）に示す係合軸６４のように、係合軸を内部中空の筒状部材で形成し、係合軸６４の内部にスプリング６１を挿入するするようにしてもよい。この筒状の係合軸６２は、その前端部分が連結部６３を介してチェーン部６に連結され、後端部分はスプリング６１が抜き差し可能に開口部６４ｂを有しているとともに、側面には、フック５１のツメ部５１ａが差し込まれる差込窓６４ａが長手方向に沿って形成されている。ツメ部５１ａは、係合軸６４の差込窓６４ａに側方から差し込まれて、内部においてスプリング６１の先端が当接されるようになっており、ツメ部５１ａは、この差込窓６４ａの範囲において、係合軸６２の長手方向に沿って移動することとなる。
【００５０】
そして、オートバック機構としては、スライダー部５がブレード２から離れる方向へスライドされることにより、スプリング６１の後端がレール部３２ａの後端面に当接され、ツメ部５１ａが差込窓６４ａに沿って後退することによってスプリング６１が押し下げられて圧縮される。この圧縮されたスプリング６１の反発力によって、ブレード２を開放させた状態でスライダー部５を放すと、ツメ部５１ａを押し返して、スライダー部５がブレード２に近づく方向へ戻されるようにスライドされる。また、スライダー部５がスプリング６１の反発力によって戻されるとき、連結解除機構により、スライダー部５とチェーン部６との連結状態が一時的に解除され、チェーン部６はギア部２１から引き出されたままの状態で、スライダー部５のみが元の位置に戻る。
【００５１】
詳述すると、スライダー部５を後方へ引き下げると、スライダー部５のツメ部５１ａが差込窓６４ａの後端部（開口部６４ｂ側の端部）に引っ掛かり、係合軸６４が後方へ引っ張られて、拡径部６２ａに連結された係合軸６４及び連結部６３を介してチェーン部６が引き出される。これによって、ギア部２１が回転されてブレード２を開刃される。このとき、ギア部２１から引き出されたチェーン部６がスライダー部５とともにレール部３２ａ内に引き込まれる形となる一方、スプリング６１は、係合軸６４内においてツメ部５１ａによって押し下げられて圧縮される形となる。そして、この状態において、スライダー部５を放すと、スプリング６１の反発力によって、ツメ部５１ａが押し返されて、スライダー部５がブレード２に近づく方向へ戻されるようにスライドされる。このとき、差込窓６４ａ後端に引っ掛かっていたツメ部５１ａが離脱され、係合軸６４を置き去りにして、スライダー部５のみがブレード２に近づく方向へ移動される。
【００５２】
（作用・効果）
本実施形態に係る折り畳み式ナイフ１によれば、ハンドル３にスライド移動可能に取り付けられたスライダー部５をスライド移動させて、チェーン部６を、ハンドル３の後端に向けて引き下げることによって、ブレード２後端のギア部２１が回転され、容易にブレード２をハンドル３内の収納部４から開刃させることができる。
【００５３】
また、ハンドル３には、ブレード２の開放状態を固定するストッパー８１が設けられているため、スライダー部５をブレード２から離れる方向、すなわちハンドル３の後端側へ相対移動させることによってブレード２を回動させ、ストッパー８１によって自動的に固定することで開刃状態を保持させることができる。また、ブレード２の固定状態を解除するロック解除ボタン８が設けられているため、ブレード２の固定状態を素早く解除することができ、容易にブレード２を収納することができる。
【００５４】
さらに、オートバック機構により、スライダー部５を相対移動させてブレード２を開動させた後、スプリング６１の弾性力により自動的にスライダー部５を元の位置に戻すことができるため、素早く次の動作へ移ることができ、さらにはハンドル３とスライダー部５との一体性も確保できるためハンドル３を握った際のグリップ感を高めることができる。このとき、スライダー部５とチェーン部６との連結状態は一時的に解除されるので、スライダー部５が元の位置に戻っても、ブレード２の開刃状態を安定させることができる。一方、このオートバック機構は、ブレード２が、その開放状態から収納状態へ遷移した際に、スライダー部５とチェーン部６との連結状態を回復させることから、ブレード２を収納させた際に、スライダー部５とチェーン部６との連結状態を回復させることができるため、次回の開刃動作に備えることができ、開刃の度に繰り返しスライダー部５を自動的に元の位置へ戻すことができる。
【００５５】
なお、上記実施形態では、ブレード２の収納状態において、スライダー部５を固定することで、使用者が意図しない開刃を防止することができ、安全性を高めることができる。
【００５６】
これらの結果、本実施形態に係る折り畳み式ナイフ１によれば、スライダー部５をスライド移動させるだけで、容易にブレード２をハンドル３内の収納部４から開刃させることができることから、手袋などを装着した状態や悪天候の状況下であっても安全に且つ容易に開刃できる。また、かかる折り畳み式ナイフ１は、スライダーによって開刃するという従来にない動作・機能に基づいたデザインが可能であるため、これによってデザインの多様化を図ることができ、折り畳み式ナイフに興味を抱くユーザーを増やすことができ、ユーザー層を拡大させることができる。
【符号の説明】
【００５７】
１…折り畳み式式ナイフ、２…ブレード、２ａ…ポイント部、２ｂ…リカッソ部、２ｃ…エッジ、２ｄ…背部、２ｅ…カーブ、３…ハンドル、３ａ…ボルスター部、３ｂ…グリップ部、４…収納部、５…スライダー部、５ａ…溝部、６…チェーン部、７…支承部、８…ロック解除ボタン、９…安全装置、２１…ギア部、３１ａ，３１ｂ…把持板、３２…タング、３２ａ…レール部、５１…フック、５１ａ…ツメ部、５１ｂ…プレート、６１…スプリング、６２，６４…係合軸、６２ａ…拡径部、６３…連結部、６４ａ…差込窓、６４ｂ…開口部、７１…回転板、７１ａ…凹部、７２ａ…先端部、７２ｂ…後端部、８１…ストッパー、８２…渦巻きバネ、８３…ボタン収納凹部、８４…押圧ロッド
【図１】
0003198949.tif 000003
【図２】
0003198949.tif 000004
【図３】
0003198949.tif 000005
【図４】
0003198949.tif 000006
【図５】
0003198949.tif 000007
【図６】
0003198949.tif 000008